(57)【特許請求の範囲】
【請求項１】
建物躯体（５００，６００）に生じる隙間を目隠しするための化粧材（１００）を、取付具（３００）を用いて建物躯体（５００，６００）に取付けるための化粧材（１００）の取付構造であって、
合成樹脂製化粧材（１００）と、窯業系板材（２００）とを有し、
前記取付具（３００）は、
前記隙間を目隠しするように前記窯業系板材（２００）を固定する窯業系板材取付用ブラケット（３０４）と、
前記窯業系板材（２００）を覆うように前記合成樹脂製化粧材（１００）を固定する合成樹脂製化粧材取付用ブラケット（３０１）とを有し、
前記窯業系板材取付用ブラケット（３０４）は、前記隙間を跨ぐように、前記合成樹脂製化粧材取付用ブラケット（３０１）の前記合成樹脂製化粧材（１００）側に取付けられ、
前記窯業系板材取付用ブラケット（３０４）は、前記取付具（３００）が前記建物躯体（５００，６００）に取付けられた状態で、前記窯業系板材（２００）を受入れるように設けられ、
前記窯業系板材取付用ブラケット（３０４）の内面には、前記窯業系板材（２００）の抜けを防止するためのかえり部が設けられ、
前記窯業系板材（２００）は、前記建物躯体（５００，６００）の前記合成樹脂製化粧材（１００）側から前記隙間を跨ぐように、前記窯業系板材取付用ブラケットに固定される、
化粧材の取付構造。
【請求項２】
請求項１に記載の化粧材の取付構造に用いられる化粧材の取付具であって、
当該化粧材の取付具（３００）は、
前記隙間を目隠しするように前記窯業系板材（２００）を固定する前記窯業系板材取付用ブラケット（３０４）と、
前記窯業系板材（２００）を覆うように前記合成樹脂製化粧材（１００）を固定する前記合成樹脂製化粧材取付用ブラケット（３０１）とを有する、
化粧材の取付具。
【請求項３】
建物躯体（５００，６００）に生じる隙間を目隠しするための化粧材（１００）を、取付具（３００）を用いて建物躯体（５００，６００）に取付けるための化粧材（１００）の取付構造であって、
合成樹脂製化粧材（１００）と、窯業系板材（２００）と、桟木（４００）とを有し、
前記取付具（３００）は、
前記隙間を目隠しするように前記窯業系板材（２００）を固定する窯業系板材取付用ブラケット（３０４）と、
前記窯業系板材（２００）を覆うように前記合成樹脂製化粧材（１００）を前記桟木（４００）を介在して固定する合成樹脂製化粧材取付用ブラケット（３０１）とを有し、
前記窯業系板材取付用ブラケット（３０４）は、前記隙間を跨ぐように、前記合成樹脂製化粧材取付用ブラケット（３０１）の前記合成樹脂製化粧材（１００）側に取付けられ、
前記窯業系板材取付用ブラケット（３０４）は、前記取付具（３００）が前記建物躯体（５００，６００）に取付けられた状態で、前記窯業系板材（２００）を受入れるように設けられ、
前記窯業系板材取付用ブラケット（３０４）の内面には、前記窯業系板材（２００）の抜けを防止するためのかえり部が設けられ、
前記窯業系板材（２００）は、前記建物躯体（５００，６００）の前記合成樹脂製化粧材（１００）側から前記隙間を跨ぐように、前記窯業系板材取付用ブラケットに固定される、
化粧材の取付構造。
【請求項４】
請求項３に記載の化粧材の取付構造に用いられる化粧材の取付具であって、
当該化粧材の取付具（３００）は、
前記隙間を目隠しするように前記窯業系板材（２００）を固定する前記窯業系板材取付用ブラケット（３０４）と、
前記窯業系板材（２００）を覆うように前記合成樹脂製化粧材（１００）を前記桟木（４００）を介在して固定する前記合成樹脂製化粧材取付用ブラケット（３０１）とを有する、
化粧材の取付具。
【発明の詳細な説明】
【０００１】
【発明の属する技術分野】
この発明は、化粧材を建物躯体に取付けるために用いられる化粧材の取付構造および化粧材の取付具に関する。
【０００２】
【従来の技術】
１階建物躯体と２階建物躯体との間に生じる隙間を目隠しするために、一般的に胴差しと呼ばれる化粧材が用いられる。従来、１階建物躯体と２階建物躯体との間に生じる隙間は１０ｍｍ程度であり、防火上問題とならないため、化粧材には表面の意匠性に優れた合成樹脂製化粧材が用いられていた。
【０００３】
しかし、近年、外壁構造の規格の関係から、１階建物躯体と２階建物躯体との間に数十ｍｍ以上の隙間が生じる場合があり得る。数十ｍｍ以上の隙間が生じる場合、単に合成樹脂製化粧材で化粧するのみならず、何らかの防火対策を施した構造が必要となる。
【０００４】
そこで、防火用無機材により１階建物躯体と２階建物躯体との隙間の目隠しを行ない、意匠上の要求を満足させるため防火用無機材を覆うようにして合成樹脂製化粧材を取付ける構造が用いられている。
【０００５】
【発明が解決しようとする課題】
しかしながら、１階建物躯体と２階建物躯体との隙間の目隠しを行なうための防火用無機材および合成樹脂製化粧材は、それぞれビス等を用いて建物躯体に固定される。しかし、化粧材および防火用無機材はいすれも長尺であるため、その取扱が容易でない場合が多い。特に、窯業製板材の場合は、重量もかなりの重さになるため、建物躯体側にビス等を用いて直接固定するのは作業時間が膨大になり、またその作業は煩わしいといえる。
【０００６】
したがって、この発明は上記問題点を解決するためになされたもので、化粧材の取付の作業性の向上を図ることのできる化粧材の取付構造および取付具を提供することにある。
【０００７】
【課題を解決するための手段】
この発明のある局面に基づいた、化粧材の取付構造においては、建物躯体に生じる隙間を目隠しするための化粧材を、取付具を用いて建物躯体に取付けるための化粧材の取付構造であって、合成樹脂製化粧材と、窯業系板材とを有し、取付具は、隙間を目隠しするように窯業系板材を固定する窯業系板材取付用ブラケットと、窯業系板材を覆うように合成樹脂製化粧材を固定する合成樹脂製化粧材取付用ブラケットとを有する。
【０００８】
そして、窯業系板材取付用ブラケットは、隙間を跨ぐように、合成樹脂製化粧材取付用ブラケットの合成樹脂製化粧材側に取付けられ、窯業系板材取付用ブラケットは、取付具が建物躯体に取付けられた状態で、窯業系板材を受入れるように設けられ、窯業系板材取付用ブラケットの内面には、窯業系板材の抜けを防止するためのかえり部が設けられ、窯業系板材は、建物躯体の合成樹脂製化粧材側から隙間を跨ぐように、窯業系板材取付用ブラケットに固定される。
【０００９】
この発明のある局面に基づいた、化粧材の取付具においては、上記に記載しているこの発明のある局面に基づいた化粧材の取付構造に用いられる化粧材の取付具であって、当該化粧材の取付具は、隙間を目隠しするように窯業系板材を固定する窯業系板材取付用ブラケットと、窯業系板材を覆うように合成樹脂製化粧材を固定する合成樹脂製化粧材取付用ブラケットとを有する。
【００１０】
この発明の他の局面に基づいた、化粧材の取付構造においては、建物躯体に生じる隙間を目隠しするための化粧材を、取付具を用いて建物躯体に取付けるための化粧材の取付構造であって、合成樹脂製化粧材と、窯業系板材と、桟木とを有し、取付具は、隙間を目隠しするように窯業系板材を固定する窯業系板材取付用ブラケットと、窯業系板材を覆うように合成樹脂製化粧材を桟木を介在して固定する合成樹脂製化粧材取付用ブラケットとを有する。そして、窯業系板材取付用ブラケットは、隙間を跨ぐように、合成樹脂製化粧材取付用ブラケットの合成樹脂製化粧材側に取付けられ、窯業系板材取付用ブラケットは、取付具が建物躯体に取付けられた状態で、窯業系板材を受入れるように設けられ、窯業系板材取付用ブラケットの内面には、窯業系板材の抜けを防止するためのかえり部が設けられ、窯業系板材は、建物躯体の合成樹脂製化粧材側から隙間を跨ぐように、窯業系板材取付用ブラケットに固定される。
【００１１】
この発明の他の局面に基づいた、化粧材の取付具においては、上記に記載しているこの発明の他の局面に基づいた化粧材の取付構造に用いられる化粧材の取付具であって、当該化粧材の取付具は、隙間を目隠しするように窯業系板材を固定する窯業系板材取付用ブラケットと、窯業系板材を覆うように合成樹脂製化粧材を桟木を介在して固定する合成樹脂製化粧材取付用ブラケットとを有する。
【００１２】
【発明の実施の形態】
以下、この発明に基づいた各実施の形態における、化粧材の建物躯体への取付構造および化粧材の取付具の構造について、図を参照して説明する。
【００１３】
（実施の形態１）
図１を参照して、実施の形態１における化粧材の建物躯体への取付構造および化粧材の取付具の構造について説明する。なお、図１は、化粧材の建物躯体への取付構造を示す縦断面図である。
【００１４】
＜全体構造＞
本実施の形態における化粧材の建物躯体への取付構造１０００は、化粧材として、合成樹脂製化粧材１００が用いられ、防火用無機材として窯業製板材２００が用いられる。窯業製板材２００は、１階建物躯体５００と２階建物躯体６００との間に生じる隙間Ｃにおける防火上の目的から設けられる。また、合成樹脂製化粧材１００は、窯業製板材２００を覆い、意匠上の要請から設けられる。
【００１５】
合成樹脂製化粧材１００は、意匠上の観点および機能上の観点から、正面プレート部１０１、上面プレート部１０２および底面プレート部１０３を有している。さらに、底面プレート部１０３の内面部分には、係合凹部１０４が形成されている。
【００１６】
＜取付具３００の構造＞
合成樹脂製化粧材１００および窯業製板材２００を、建物躯体に取付けるため取付具３００が用いられる。この取付具３００は、窯業製板材２００を取付ける領域と合成樹脂製化粧材１００を取付ける領域とを有し、材質としては特に制限されるものではないが、代表的な例としては、アルミニュウム、ステンレス等の金属材料、塩化ビニル樹脂等の合成樹脂材料、木材等が挙げられる。なお、加工性および強度を考慮した場合、アルミニュウム、ステンレス等の金属材料を組合せて用いることが好ましい。
【００１７】
この取付具３００の構造は、合成樹脂製化粧材１００を取り付けるためのブラケット３０１と、窯業製板材２００を取り付けるためのブラケット３０４とを備えている。
【００１８】
ブラケット３０１は、上端部において、２階建物躯体６００との間に桟木４００を介在して取付けられる上部ブラケット３０２と、下端部において、合成樹脂製化粧材１００の係合凹部１０４に係合する下部ブラケット３０３とが形成されている。
【００１９】
ブラケット３０４は、窯業製板材２００を受入れるように設けられ、この側壁ブラケット３０４の内面には、窯業製板材２００の抜けを防止するためのかえり部３０４ａが設けられている。
【００２０】
＜取付構造＞
取付具３００の建物躯体への取付は、上部ブラケット３０２部分において、桟木４００がビス７０２により２階建物躯体６００に固定され、上部ブラケット３０２が、ビス７０１により桟木４００に固定される。また、下部ブラケット３０３がビス７０４により１階建物躯体５００に固定される。
【００２１】
窯業製板材２００は、ブラケット３０４に嵌め込まれるようにして取付けられる。また、合成樹脂製化粧材１００は、上面プレート部１０２が、ビス７３により桟木４００に固定され、係合凹部１０４が下部ブラケット３０３に係合し位置決めされる。なお、上面プレート部１０２と２階建物躯体６００との間に生じる隙間は、シール材８００により目隠しされる。
【００２２】
以上、本実施の形態における化粧材の建物躯体への取付構造１０００および化粧材の取付具３００の構造によれば、あらかじめ建物躯体５００，６００にこの取付具３００を取付けておくことで、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００２３】
（参考例１）
図２を参照して、参考例１における化粧材の建物躯体への取付構造１１００および化粧材の取付具３１０の構造について説明する。なお、図２は、化粧材の建物躯体への取付構造を示す縦断面図である。また、実施の形態１と同一の構造および同一の機能を有するものについては同一参照番号を用いその説明は省略する。
【００２４】
＜全体構造＞
実施の形態１の取付構造１０００と本参考例の取付構造１１００とを比較した場合、取付具３１０の構造が異なっている。実施の形態１の場合、窯業製板材２００を受入れるように設けられる側壁ブラケット３０４は、合成樹脂製化粧材１００に開口する構造を有しているが、本参考例における取付具３１０は、建物躯体５００，６００側に開口する構造を有している。
【００２５】
＜取付具３１０の構造＞
取付具３１０の基本的構造は実施の形態１における取付具３００と同じであるが、合成樹脂製化粧材１００を取り付けるためのブラケット３１１と、建物躯体５００，６００側に開口するように窯業製板材２００を取り付けるためのブラケット３１４とを備えている。
【００２６】
＜取付構造＞
取付具３１０および合成樹脂製化粧材１００の建物躯体への取付は、実施の形態１と同じである。窯業製板材２００は、あらかじめ取付具３１０に取付けられた状態で、窯業製板材２００および取付具３１０が一体となって建物躯体への取付けられる。
【００２７】
以上、本参考例における化粧材の建物躯体への取付構造１１００および化粧材の取付具３１０の構造においても、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００２８】
（実施の形態２）
図３を参照して、実施の形態２における化粧材の建物躯体への取付構造１２００および化粧材の取付具３２０の構造について説明する。なお、図３は、化粧材の建物躯体への取付構造を示す縦断面図である。また、実施の形態１と同一の構造および同一の機能を有するものについては同一参照番号を用いその説明は省略する。
【００２９】
＜全体構造＞
実施の形態１の取付構造１０００と本実施の形態の取付構造１２００とを比較した場合、合成樹脂製化粧材１１０および取付具３２０の構造が異なっている。実施の形態１の場合、合成樹脂製化粧材１００の下端部に設けられる係合凹部１０４が、取付具３００の下部ブラケット３０３に係合し位置決めされていたが、本実施の形態の構造においては、合成樹脂製化粧材１１０の下端部に設けられる凸部１１３のかえり部分１１３ａが、取付具３１０の下部に設けられる凹部ブラケット３２５のかえり部分３２５ａに係合することで合成樹脂製化粧材１１０の位置決めがなされている。その他の構造は、実施の形態１と同じである。
【００３０】
以上、本実施の形態における化粧材の建物躯体への取付構造１２００および化粧材の取付具３２０の構造によれば、あらかじめ建物躯体５００，６００にこの取付具３２０を取付けておくことで、容易に窯業製板材２００および合成樹脂製化粧材１１０を建物躯体５００，６００に取付けることが可能になり、化粧材の取付作業の容易化に伴なう施工性の向上および取付作業の効率化を図ることが可能になる。
【００３１】
（実施の形態３）
図４を参照して、実施の形態３における化粧材の建物躯体への取付構造１３００および化粧材の取付具３３０Ａの構造について説明する。なお、図４は、化粧材の建物躯体への取付構造を示す縦断面図である。また、実施の形態１と同一の構造および同一の機能を有するものについては同一参照番号を用いその説明は省略する。
【００３２】
＜全体構造＞
実施の形態１の取付構造１０００と本実施の形態の取付構造１３００とを比較した場合、取付具３３０Ａの構造が異なる。具体的には、この取付具３３０Ａの構造は、合成樹脂製化粧材１００を取付けるためのブラケット３３１を有し、取付具３３０Ａの上部ブラケット３３２および下部ブラケット３３４の形状が異なっている。特に、上部ブラケット３３２には、合成樹脂製化粧材１００の上面プレート部１０２に回り込むように補助プレート３３３，３３５が設けられている。その他の構造は、実施の形態１と同じである。
【００３３】
以上、本実施の形態における化粧材の建物躯体への取付構造１３００および化粧材の取付具３３０Ａの構造によれば、あらかじめ建物躯体５００，６００にこの取付具３３０Ａを取付けておくことで、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００３４】
（参考例２）
図５を参照して、参考例２における化粧材の建物躯体への取付構造１４００および化粧材の取付具３４０の構造について説明する。なお、図５は、化粧材の建物躯体への取付構造を示す縦断面図である。また、参考例１と同一の構造および同一の機能を有するものについては同一参照番号を用いその説明は省略する。
【００３５】
＜全体構造＞
参考例１の取付構造１１００と本参考例の取付構造１４００とを比較した場合、合成樹脂製化粧材１２０の構造および取付具３４０の構造が異なり、具体的には、取付具３４０の上部ブラケット３４２，３４３および下部ブラケット３４５，３４６の形状が異なっている。
【００３６】
合成樹脂製化粧材１２０は、意匠上の観点および機能上の観点から、正面プレート部１２１、上面プレート部１２２、折れ曲り部１２３、凹部１２４および底面プレート部１２５を有している。さらに、底面プレート部１２５の内面部分には、係合凹部１２６が形成されている。
【００３７】
＜取付具３４０の構造＞
取付具３４０は、合成樹脂製化粧材１００を取り付けるためのブラケット３４１を備え、上端部において、上部ブラケット３４２，３４３および、下端部において、下部ブラケット３４４，３４５，３４６を有している。その他の構造は、参考例１と同じである。
【００３８】
以上、本参考例における化粧材の建物躯体への取付構造１４００および化粧材の取付具３４０の構造においても、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００３９】
（実施の形態４）
図６を参照して、実施の形態４における化粧材の建物躯体への取付構造１５００および化粧材の取付具３５０の構造について説明する。なお、図６は、化粧材の建物躯体への取付構造を示す縦断面図である。また、参考例２と同一の構造および同一の機能を有するものについては同一参照番号を用いその説明は省略する。
【００４０】
＜全体構造＞
参考例２の取付構造１４００と本実施の形態の取付構造１５００とを比較した場合、取付具３５０の構造が異なっている。実施の形態３の場合、窯業製板材２００を受入れるように設けられる側壁ブラケット３０４は、建物躯体５００，６００側に開口する構造を有しているが、本実施の形態における取付具３５０は、合成樹脂製化粧材１２０に開口する構造を有している。
【００４１】
＜取付具３５０の構造＞
取付具３５０の基本的構造は実施の形態３における取付具３４０と同じであるが、合成樹脂製化粧材１２０を取付けるためのブラケット３５１と、合成樹脂製化粧材１２０に開口するようにして窯業製板材２００を取り付けるためのブラケット３０４を備えている。
【００４２】
＜取付構造＞
取付具３１０および合成樹脂製化粧材１００の建物躯体への取付は、参考例２と同じである。
【００４３】
以上、本実施の形態における化粧材の建物躯体への取付構造１５００および化粧材の取付具３５０の構造によれば、あらかじめ建物躯体５００，６００にこの取付具３５０を取付けておくことで、容易に窯業製板材２００および合成樹脂製化粧材１２０を建物躯体５００，６００に取付けることが可能になり、化粧材の取付作業の容易化に伴なう施工性の向上および取付作業の効率化を図ることが可能になる。
【００４４】
（実施の形態５）
図７を参照して、実施の形態５における化粧材の建物躯体への取付構造１６００および化粧材の取付具３３０Ｂの構造について説明する。なお、図７は、化粧材の建物躯体への取付構造を示す縦断面図である。また、実施の形態３と同一の構造および同一の機能を有するものについては同一参照番号を用いその説明は省略する。
【００４５】
＜全体構造＞
実施の形態３の取付構造１３００と本実施の形態の取付構造１６００とを比較した場合、取付具３３０Ｂの構造が異なっている。実施の形態３の場合、側壁ブラケット３０４は、ブラケット３３１の上に載置されるように取付けられているが、本実施の形態の場合、側壁ブラケット３０４はブラケット３３１に対して建物躯体５００，６００側から回り込むようにして設けられている。通常ブラケット３３１は側壁ブラケット３０４よりも厚物の板で構成されているため、この構造においては厚物の板で構成されているブラケット３３１をつぶすことによりブラケット３３１と側壁ブラケット３０４とをかしめることとなる。したがって、ブラケット３３１と側壁ブラケット３０４の固定の強度が増すことになり、窯業製板材２００の取付に有利な構造となる。その他の構造は、実施の形態３と同じである。
【００４６】
以上、本実施の形態における化粧材の建物躯体への取付構造１６００および化粧材の取付具３３０Ｂの構造によれば、あらかじめ建物躯体５００，６００にこの取付具３３０Ｂを取付けておくことで、容易に窯業製板材２００および合成樹脂製化粧材１００を建物躯体５００，６００に取付けることが可能になり、化粧材の取付作業の容易化に伴なう施工性の向上および取付作業の効率化を図ることが可能になる。
【００４７】
なお、上記実施の形態１，２，３，４および５においては、取付具をあらかじめ建物躯体に取付けてから、防火用無機材を取付具に取付ける構造が採用され、上記参考例１および２においては、防火用無機材を持上げ保持した状態でビス止めする構造が採用されている。施工性の観点からは、参考例１および２に示す構造よりも、実施の形態１，２，３，４および５に示す構造の方が有利であるといえる。
【００４８】
また、上記各実施の形態においては、防火用無機材として窯業製板材を用いた場合について説明しているが、防火用無機材としては、他に鉄板、アルミ板等の金属材料を用いることも可能である。
【００４９】
なお、上記各実施の形態においては、化粧材として胴差しに適用した場合について説明しているが、これに限られず、破風、幕板等、その他建築構造物の外観の向上を図るために用いる部分に適用することが可能である。
【００５０】
したがって、今回開示した上記各実施の形態はすべての点で例示であって、制限的なものではないと考えられる。本発明の範囲は、上記した説明ではなく特許請求の範囲によって画定され、特許請求の範囲と均等の意味および範囲内でのすべての変更が含まれる。
【００５１】
【発明の効果】
この発明に基づいた化粧材の取付構造および化粧材の取付具によれば、防火用無機材と合成樹脂製化粧材とを取付けることができる取付具を用いることにより、あらかじめ建物躯体にこの取付具を取付けておくことで、容易に防火用無機材および合成樹脂製化粧材を建物躯体に取付けることが可能になり、化粧材の取付作業の容易化（施工性の向上）および効率化を図ることが可能になる。
【図面の簡単な説明】
【図１】  この発明に基づいた実施の形態１における化粧材の取付構造および化粧材の取付具を示す縦断面図である。
【図２】  この発明に基づいた参考例１における化粧材の取付構造および化粧材の取付具を示す縦断面図である。
【図３】  この発明に基づいた実施の形態２における化粧材の取付構造および化粧材の取付具を示す縦断面図である。
【図４】  この発明に基づいた実施の形態３における化粧材の取付構造および化粧材の取付具を示す縦断面図である。
【図５】  この発明に基づいた参考例２における化粧材の取付構造および化粧材の取付具を示す縦断面図である。
【図６】  この発明に基づいた実施の形態４における化粧材の取付構造および化粧材の取付具を示す縦断面図である。
【図７】  この発明に基づいた実施の形態５における化粧材の取付構造および化粧材の取付具を示す縦断面図である。
【符号の説明】
１０００，１１００，１２００，１３００，１４００，１５００，１６００  取付構造、３００，３１０，３２０，３３０Ａ，３３０Ｂ，３４０，３５０  取付具、１００  合成樹脂製化粧材、１０１，１２１  正面プレート部、１０２，１２２  上面プレート部、１０３，１２５  底面プレート部、１０４  係合凹部、１１３  凸部、１１３ａ，３２５ａ  かえり部分、１２３  折れ曲り部、１２４  凹部、１２６  係合凹部、２００  窯業製板材、３０１，３０４，３１４  ブラケット、３０２，３３２，３４２，３４３  上部ブラケット、３０３，３３４，３４５，３４６  下部ブラケット、３０４ａ  かえり部、３２５  凹部ブラケット、３３３，３３５  補助プレート、４００  桟木、５００  １階建物躯体、６００  ２階建物躯体、７０１，７０２，７０４  ビス、８００  シール材、Ｃ  隙間。
【図１】
0004570185.tif 000002
【図２】
0004570185.tif 000003
【図３】
0004570185.tif 000004
【図４】
0004570185.tif 000005
【図５】
0004570185.tif 000006
【図６】
0004570185.tif 000007
【図７】
0004570185.tif 000008